(57)【要約】【課題】改善されたシステム効率をもつモバイル装置における移動性管理層を管理する方法を提供する。【解決手段】モバイル装置の移動性管理層が待ち状態に入った後、タイマが作動される。モバイル装置は、タイマの期限が過ぎる前にネットワークシステムからの更なる指示を待ち、タイマの期限が過ぎた場合、待ち状態から出るように移動性管理層を制御し、これによりシステムの効率が改善される。【選択図】図１
2013085222.tif 000002
【特許請求の範囲】
【請求項１】
モバイル装置における移動性管理層を管理する方法であって、
前記移動性管理層が待ち状態に入った後に待ち時間を取得するステップと、
前記待ち時間が予め決定された値を超えない場合に、ネットワークからの指示に従って、前記移動性管理層が前記待ち状態から出るステップと、
前記待ち時間が予め決定された値を超える場合に、前記移動性管理層が前記待ち状態を出るステップと、
を含むことを特徴とする方法。
【請求項２】
前記待ち時間が前記予め決定された値を超えない場合、前記待ち状態を出ることに関連するコマンドが前記ネットワークから受信されたかを判定するステップと、
前記移動性管理層が、前記コマンドを受信したときに、前記待ち状態から出て、前記コマンドに対応する特定のアクションを実行するステップと、
を更に含む請求項１記載の方法。
【請求項３】
前記特定のアクションは、「ＲＲ（無線リソース）の接続を開放する」アクション、「ＭＭ（移動性管理）の接続を指示する」アクション、「ＭＳ（移動局）を不作動にし、アタッチを許可する」アクション、又は「ＲＲ接続を開放を許可する」アクションを含む、
請求項２記載の方法。
【請求項４】
前記モバイル装置は、前記待ち時間が前記予め決定された値を超えない場合、前記コマンドを受信したとき、前記特定のアクションを実行し、
前記移動性管理層は、第三世代ＧＰＰＳ（Generation  Partnership  Project）仕様において定義される、状態３「位置登録の更新を開始する」、状態６「ＭＭの接続を作動する」、状態７「ＩＭＳＩ（International  Mobile  Subscriber  Identity）デタッチを作動する」、状態９「ネットワークコマンドを待つ」、状態１９「ＭＭを待機させる」、状態２５「ＲＲの接続の開放を不許可にする」に入る、
請求項３記載の方法。
【請求項５】
前記待ち状態は、第３世代ＧＰＰＳ（Generation  Partnership  Project）仕様において定義される状態９「ネットワークコマンドを待つ」である、
請求項１記載の方法。
【請求項６】
前記待ち時間が前記予め決定された値を超える場合に、前記移動性管理層は、前記待ち状態を出て、無線リソースの接続を開放するステップを更に含む、
請求項５記載の方法。
【発明の詳細な説明】
【技術分野】
【０００１】
本発明は、請求項１の冒頭に記載されるモバイル装置における移動性管理層（Mobility  Management  Layer）を管理する方法に関する。
【背景技術】
【０００２】
３ＧＰＰ（3rd  Generation  Partnership  Project）モバイル通信システムによれば、モバイル装置の無線インタフェースプロトコル構造は、物理層、データリンク層及びネットワーク層という３つのレイヤを含む。データリンク層は、ＰＤＣＰ（Packet  Data  Convergence  Protocol）層、ＲＬＣ（Radio  Link  Control）層、及びＭＡＣ（Medium  Access  Control）層を含む。ネットワークレイヤは、ＲＲＣ（Radio  Resource  Control）層、ＭＭ（Mobility  Management）層及びＣＭ（Connection  Management）層を含む。
【０００３】
ＲＬＣレイヤは、ＰＤＵ（Protocol  Data  Unit）伝送、ＡＲＱ（Automatic  Retransmission  Request）訂正、連結（Concatenation）、ＳＤＵ（Service  Data  Unit）セグメンテーション／リアセンブリ／ディレーション、シーケンシャルＰＤＵ伝送、重複データ検出、プロトコル誤り検出及びプロトコル再確立を含むサービスを提供するように構成される。
【０００４】
ＭＡＣレイヤは、ＨＡＲＱ（Hybrid  Automatic  Repeat  Request）誤り訂正及びＴＴＩ（Transmission  Time  Interval）伝送を含むサービスを提供するように構成される。ＣＭレイヤは、コネクションの確立、コネクションタイプ（音声又はファックス）の選択、コネクションの開放を含む呼制御を提供し、付加サービス（SS）及びショートメッセージサービス（SMS）を管理するように構成される。
【０００５】
ＲＲＣレイヤは、コネクションを管理し、通信チャネルを確立／開放し、及び電力制御を管理するように構成される。
【０００６】
ＭＭ層は、ネットワークにモバイル装置の現在の位置が通知されるように、ユーザ認証、信号符号化及び全ての移動に関連する機能を扱うように構成される。
【０００７】
現在の３ＧＰＰ仕様によれば、状態９に入った後、ＭＭ層は、ネットワークにおけるそのピアエンティティへの無線リソース（RR）の接続を有するが、ＭＭの接続が確立されない。モバイル装置は受動的であり、ネットワークから更なるコマンドを待つ。従来の技術では、ネットワークがどういうわけか応答できない場合、モバイル装置のＭＭ層は状態９にとどまり、従って他のサービスを提供することができない。
【発明の概要】
【発明が解決しようとする課題】
【０００８】
本発明の目的は、改善されたシステム効率をもつモバイル装置における移動性管理層を管理する方法を提供することにある。
【課題を解決するための手段】
【０００９】
上記目的は、請求項１記載のモバイル装置における移動性管理層を管理する方法により達成される。従属の請求項は、対応する更なる発展及び改善に関する。
【００１０】
以下の詳細な説明から明らかであるように、モバイル装置における移動性管理層を管理する特許請求される方法は、移動性管理層が待ち状態に入った後、待ち時間を取得するステップ、待ち時間が予め決定された値を超えない場合に、ネットワークから受信されたコマンドに従って、移動性管理層が待ち状態から出るステップ、待ち時間が予め決定された値を超える場合に、移動性管理層が待ち状態から出るステップを含む。
【図面の簡単な説明】
【００１１】
以下、本発明は添付図面を参照しながら、例示を通して更に説明される。
【図１】本発明に係るモバイル装置におけるＭＭ層の動作を説明する状態遷移図である。
【図２】本発明に係るモバイル装置におけるＭＭ層の動作方法を説明するフローチャートである。
【発明を実施するための形態】
【００１２】
図１は、本発明に係るモバイル装置におけるＭＭ層の動作を説明する状態遷移図である。図１は、状態３「位置登録の更新を開始する“location  updating  initiated”」、状態６「ＭＭの接続を作動させる“MM  connection  activated”」、状態７「ＩＭＳＩ（International  Mobile  Subscriber  Identity）デタッチを作動させる“IMSI  detach  activated”」、状態９「ネットワークコマンドを待つ“wait  for  network  command”」、状態１９「ＭＭを待機させる“MM  idle”」及び状態２５「ＲＲの接続の開放を不許可にする“RR  connection  release  not  allow”」を示す。本発明は状態９の動作に関連するので、関連する状態のみが図１に示される。他の可能性のあるＭＭ層の状態は、関連する３ＧＰＰ仕様において記載及び説明される。
【００１３】
図２は、本発明に係るモバイル装置におけるＭＭ層を動作させる方法を説明するフローチャートである。本方法は、以下のステップを含む。  
ステップ２１０：ＭＭ層が待ち状態にあるかを判定し、ＭＭ層が待ち状態にある場合、ステップ２２０を実行し、ＭＭ層が待ち状態にない場合、ステップ２１０を実行する。  
ステップ２２０：モバイル装置のタイマを作動し、ステップ２３０を実行する。  
ステップ２３０：タイマの期限が過ぎたかを判定し、タイマの期限が過ぎた場合にはステップ２６０を実行し、タイマの期限が過ぎていない場合にはステップ２４０を実行する。  
ステップ２４０：待ち状態を出ることに関連する特定のコマンドがネットワークから受信されたかを判定し、特定のコマンドが受信された場合、ステップ２５０を実行し、特定のコマンドが受信されていない場合、ステップ２３０を実行する。  
ステップ２５０：待ち状態を出て、特定のコマンドに対応する第一のアクションを実行し、ステップ２７０を実行する。  
ステップ２６０：待ち状態を出て、第二のアクションを実行し、ステップ２７０を実行する。  
タイマをリセットし、ステップ２１０を実行する。
【００１４】
ステップ２１０において、待ち状態は、３ＧＰＰ仕様において定義される状態９である。状態９において、ＭＭ層は、ネットワークにおけるそのピアエンティティへのＲＲの接続を有するが、ＭＭの接続は確立されない。モバイル装置は、受動的であるので、ネットワークからの更なるコマンドを待つ。図１に例示される実施の形態では、ＭＭ層は、モバイル装置がアクションＡ１〜Ａ４を実行した後、状態９に入る。アクションＡ１は、ページングに応答して、「ＲＲ接続を確立する“RR  connection  established”」である。アクションＡ２は、「最後の接続を開放する“last  connection  release”」である。アクションＡ３は、「システム情報を記憶する“store  system-info”」である。アクションＡ４は、「ＲＲの接続の開放を不許可にする“RR  connection  release  not  allowed”」である。ステップ２１０において、ＭＭ層が（状態９のような）待ち状態に入ったことが判定された場合、モバイル装置のタイマを作動するためにステップ２２０が実行され、次いでステップ２３０は、タイマの期限が過ぎているかを判定するために実行される。
【００１５】
ステップ２３０においてタイマの期限が過ぎていると判定された場合、待ち状態を出ることに関連する特定のコマンドがネットワークから受信されたかを判定するためにステップ２４０が実行される。特定のコマンドを受信したとき、待ち状態を出て、特定のコマンドに対応する第一のアクションを実行するためにステップ２５０が実行される。図１に例示される実施の形態では、第一のアクションは、アクションＢ１〜Ｂ４である。アクションＢ１は、ネットワークコマンドに従って「ＲＲの接続を開放する“RR  connection  release”」である。アクションＢ２は、第一のメッセージを受信した後、「ＭＭの接続を示す“indicate  MM  connection”」である。アクションＢ３は、「ＭＳ（移動局）を不作動にし、アタッチを許可する（MS  deactivated  and  attach  allowed）」である。アクションＢ４は、「ＲＲの接続の開放を不許可にする“RR  connection  release  not  allow”」であるである。
【００１６】
ステップ２３０においてタイマの期限が過ぎていると判定された場合、待ち状態を出て、第二のアクションを実行するためにステップ２６０が実行される。図１に例示される実施の形態では、第二のアクションは、タイマの期限が過ぎたとき、アクションＢ５「ＲＲの接続を開放する」である。
【００１７】
図１に例示される実施の形態では、モバイル装置のＭＭ層は、待ち状態を出た後に特定のアクションに対応する特定の状態に入る場合がある。例えば、状態９を出た後、モバイル装置は、アクションＢ１を実行して、状態１９に入り、アクションＢ２を実行して、状態６に入り、アクションＢ３を実行して、状態７に入り、アクションＢ４を実行して、状態２５に入り、又は、アクションＢ５を実行して、状態１９に入る。ステップ２５０又は２６０においてＭＭ層が待ち状態から出た後、ステップ２１０にループバックする前に、タイマをリセットするためにステップ２７０が実行される。
【００１８】
本発明において、待ち状態に入った後に移動性管理層の待ち時間の期限が過ぎる前に、モバイル装置は、ネットワークから更なる指示を受動的に待つように構成される。待ち状態に入った後に移動性管理層の待ち時間の期限が過ぎた後、モバイル装置は、ＭＭ層を制御して待ち状態を出るように構成される。ネットワークがどういうわけか応答することができない場合、モバイル装置のＭＭ層は、他のサービスを提供するために待ち時間を出て、これによりシステムの効率を改善することができる。
【符号の説明】
【００１９】
状態３：位置登録の更新を開始する
状態６：ＭＭの接続を作動させる
状態７：ＩＭＳＩデタッチを作動させる
状態９：ネットワークコマンドを待つ
状態１９：ＭＭを待機させる
状態２５：ＲＲの接続の開放を不許可にする
【図１】
2013085222.tif 000003
【図２】
2013085222.tif 000004